(57)【特許請求の範囲】
【請求項１】
データベースに格納されたシリーズ画像データを取り込んで、それら画像データの複数枚を同一画面上に表示する表示装置であって、前記画像データの少なくとも１枚は注目部位を投影方向に撮影したスカウト画像、他の複数枚は撮影対象を輪切りにしたアキシャル画像とし、前記スカウト画像を別ウインドウに表示し、前記画面上で選択されたアキシャル画像の撮影位置に対応した参照線と、前記アキシャル画像のうち最上部と最下部に位置する参照線とのみを同時にこのスカウト画像中に表示するようにしたことを特徴とする医用画像表示装置。
【請求項２】
画面に表示されたアキシャル画像又は別ウインドウに表示されたスカウト画像のいずれかを選択することにより選択した画像を拡大表示するようにしたことを特徴とする請求項１記載の医用画像表示装置。
【発明の詳細な説明】
【０００１】
【発明の属する技術分野】
本発明は、ネットワーク上に接続された医用画像表示装置において、スカウト画像とアキシャル画像の対応付けを明確化して診療の迅速化を図った表示装置に関するものである。
【０００２】
【従来の技術】
はじめに、本発明が適用されるネットワークに接続された画像表示システムについて、図４を用いて説明する。
図４において、ネットワーク表示システム１は、ＭＲＩやＸ線撮像機等の医療用機器２と、この医療用機器２によって作成された画像を画像データとして格納するデータベース３と、医療診断用ワークステーション５（ａ，ｂ，ｃ…）とを通信ケーブル４を介してデータ通信可能に構成されている。このデータベース３には、医療用機器２によって作成された多人数のデータが格納されている。
【０００３】
オペレータ（例えば医師）は、被験者（患者）の名前やＩＤ番号などをもとに、対応するデータをデータベース３から医療診断用ワークステーション５に呼びだして、診療行為の判断を行う。
【０００４】
ここで、医療用機器２によって作成された画像は、例えば、１枚は図５の胸部像に示すような注目部位を投影方向に撮影したスカウト画像とされ、他は図６（ａ），（ｂ）に示すような撮影対象を輪切りにした複数枚のアキシャル画像とされる。
【０００５】
その場合、スカウト画像には、図７に示すように、複数のアキシャル画像がどの部位で撮影されたかを参照線で示すと共に、この参照線の部位をアキシャル画像に付された数値や記号と対応させて表示するようになっている。図８は参照線とアキシャル画像の関係を示している。
【０００６】
【特許文献１】
特開平０１−１１３０３６号公報    画像処理装置
【０００７】
【発明が解決しようとする課題】
ところで、上記従来の表示装置においては、注目するアキシャル画像がスカウト画像のどの部位に当たるのかを見る場合、アキシャル画像に付された数値や記号とスカウト画像に付されたものを対応させて探さなければならず、時間と労力が必要となり、分析の妨げになるという問題があった。
【０００８】
本発明は、このような問題点を解決するためになされたもので、アキシャル画像とスカウト画像の対応関係を短時間で判断することが可能な画像診断装置を実現することを目的としたものである。
【０００９】
【課題を解決するための手段】
このような目的を達成するために、本発明の医用画像表示装置では、データベースに格納されたシリーズ画像データを取り込んで、それら画像データの複数枚を同一画面上に表示する表示装置であって、前記画像データの少なくとも１枚は注目部位を投影方向に撮影したスカウト画像、他の複数枚は撮影対象を輪切りにしたアキシャル画像とし、前記スカウト画像を別ウインドウに表示し、前記画面上で選択されたアキシャル画像の撮影位置に対応した参照線と、前記アキシャル画像のうち最上部と最下部に位置する参照線とのみを同時にこのスカウト画像中に表示するようにしたことを特徴とする。
【００１１】
さらに、本発明の医用画像表示装置では、上記のような医用画像表示装置において、画面に表示されたアキシャル画像又は別ウインドウに表示されたスカウト画像のいずれかを選択することにより選択した画像を拡大表示するようにしたことを特徴とする。
【００１２】
【発明の実施の形態】
以下図面を用いて本発明を詳しく説明する。図１および図２は本発明の医用画像表示装置の一実施例を示すものである。図１（ａ）において、１１はＣＰＵやキーボードを含むビューワ本体、１２はＣＲＴ等の表示部１３が組み込まれたコンソールである。そして、表示部１３にはオペレータ（以下、医師という）が名前やＩＤ番号などをもとに呼びだしたデータが表示されており、この例ではＡで示す部分にスカウト画像が表示され、Ｂ〜Ｐで示す部分にアキシャル画像が表示されている。
【００１３】
なお、図ではスカウト画像とアキシャル画像を１６分割した画面に表示した場合を示しているが、一般にアキシャル画像は数十〜数百枚に渡って撮影されるものであり、スカウト画像が必ずしも最初に位置しない場合がある。そのような場合には、表示画面を順次スクロールしたり、頁送りをしてスカウト画像を検索し、どの範囲を撮像した画像であるかを判断する。図１（ａ）はこのようにして検索したスカウト画像Ａが左上に表示され、Ｂ〜Ｐで示す部分にアキシャル画像の一部が表示されている。
【００１４】
ここで、医師がビューワ本体に設けられたスカウト画面選択というキーを押し、Ａのスカウト画像をマウスやキーボードで選択するとビューワ本体を構成するＣＰＵはＡのスカウト画像が選択されたことを認識し、図１（ｂ）に示す如く、その画像を画面の一部に別ウインドウ１３ａとして表示する。次に、例えばＪで示すアキシャル画像に注目し、この画像がスカウト画像のどの部位にあるのかを知りたい場合、医師がＪの部分をマウス（若しくはキーボード）で選択すると、図１（ｃ）に示す如く、別ウインドウ１３ａ内のスカウト画像中に、対応した参照線Ｊが表示される。
【００１５】
このような表示方法によれば、医師が注目したアキシャル画像がスカウト画像中のどの部位に当たるかをすぐに見ることができ、診断の迅速化を図ることができる。なお、ウインドウの位置は画面の任意の位置に表示可能である。
【００１６】
さらに、本発明の医用画像表示装置では、図２（ｂ）に示す如く、撮像した全てのアキシャル画像の参照線がスカウト画像中に表示する。従って、表示されたスカウト画像中で、アキシャル画像として撮影したのはどこが始めで、どこが終わりなのかが分かり、どの程度のアキシャル密度で撮影したかの情報も得ることができる。
【００１７】
そして、図２（ａ）に示す如く、例えばＪのアキシャル画像をマウスやキーボードで選択すると、図２（ｂ）に示す如く、その選択したアキシャル画像に対応するスカウト画像中の参照線Ｊが点滅したり、色変わりしたりして、他の部分とは区別して表示される。このような表示装置においても診療の迅速化を図ることができる。なお、図２（ｂ）で一番下の参照線をｎ、その上の参照線をｎ−１としているのはアキシャル画像がアルファベットに対応した２６枚に限らず任意の枚数であることを表示している。
【００１８】
図３は本発明の医用画像表示装置の他の実施例を示すものである。ここで、スカウト画像を選択して別ウインドウに表示するまでは同じ手順なので、ここでの説明は省略するが、ここでは、選択したアキシャル画像に対応する参照線（例えば、Ｊ）をスカウト画像中に表示するとともに、撮像したアキシャル画像のうち最上部と最下部に位置するアキシャル画像に対応した参照線Ａおよびｎをも同時に表示する。従って、表示されたスカウト画像中で、注目したアキシャル画像の撮像位置を知ることができるとともに、アキシャル画像として撮影したのはどこが始めで、どこが終わりなのかが分かる。また、他の参照線がないので、すっきりした見やすい表示とすることができる。
【００１９】
なお、画面に表示されたアキシャル画像および別ウインドウに表示されたスカウト画像のいずれかを選択することにより、選択した画像を拡大表示すれば、より詳細な観察が可能である。
【００２０】
本発明の以上の説明は、説明および例示を目的として特定の好適な実施例を示したに過ぎない。したがって本発明はその本質から逸脱せずに多くの変更、変形をなし得ることは当業者に明らかである。例えば、スカウト画像とアキシャル画の撮像部は頭部であってもよく、画面の分割も任意に設定可能である。特許請求の範囲の欄の記載により定義される本発明の範囲は、その範囲内の変更、変形を包含するものとする。
【００２１】
【発明の効果】
以上説明したように本発明によれば、データベースに格納されたシリーズ画像データを取り込んで、それら画像データの複数枚を同一画面上に表示する表示装置であって、前記画像データの少なくとも１枚は注目部位を投影方向に撮影したスカウト画像、他の複数枚は撮影対象を輪切りにしたアキシャル画像とし、前記スカウト画像を別ウインドウに表示し、前記画面上で選択されたアキシャル画像の撮影位置に対応した参照線と、前記アキシャル画像のうち最上部と最下部に位置する参照線とのみを同時にこのスカウト画像中に表示するようにしているので、アキシャル画像とスカウト画像の対応関係を短時間で判断することが可能な医用画像表示装置を実現することができる。
【図面の簡単な説明】
【図１】本発明の医用画像表示装置の一実施例を示す説明図。
【図２】本発明の医用画像表示装置の一実施例を示す説明図。
【図３】本発明の医用画像表示装置の他の実施例を示す説明図。
【図４】本発明が適用されるネットワークに接続された画像表示システムの一例を示すブロック構成図。
【図５】胸部を投影方向に撮影したスカウト画像。
【図６】撮影対象を輪切りにしたアキシャル画像。
【図７】参照線とアキシャル画像の関係を示す図。
【図８】参照線とアキシャル画像の関係を示す斜視図。
【符号の説明】
１      ネットワーク表示システム
２      医療用機器
３      データベース
４      通信ケーブル
５      ワークステーション
１１    ビューワ本体
１２    コンソール
１３    表示部（モニター）
１３ａ  別ウインドウ
【図１】
0003885961.tif 000002
【図２】
0003885961.tif 000003
【図３】
0003885961.tif 000004
【図４】
0003885961.tif 000005
【図５】
0003885961.tif 000006
【図６】
0003885961.tif 000007
【図７】
0003885961.tif 000008
【図８】
0003885961.tif 000009